【事件の表示】
　平成　７年特許願第２８１３６０号「動作指示装置」拒絶査定不服審判事件〔平成　９年　５月１６日出願公開、特開平　９−１２８１４７〕について、次のとおり審決する。
【結　論】
　本件審判の請求は、成り立たない。
【理　由】
１．手続きの経緯
　本願は、平成７年１０月３０日の出願であって、平成１７年１２月２日付けで拒絶査定がなされたところ、それに対して、平成１８年１月１０日付けで拒絶査定に対する審判請求がなされるとともに手続補正書が提出され、当審において平成２０年１２月１０日付けで拒絶理由が通知されたものであり、本願請求項１に係る発明は、平成１８年１月１０日に提出された手続補正書により補正された明細書及び図面の記載からみて、その特許請求の範囲の請求項１に記載された次のとおりのものと認める。（以下、「本願発明」という。）
　
「ディスプレイ画面上に透明タッチパネルを装備し、タッチパネル面をタッチすることによりシステムに所定の動作を実行させる動作指示装置において、
　タッチパネルより出力されるタッチ点のＸ，Ｙ位置信号に基づいてタッチパネル面上の異なる２以上のポイントが所定時間内にタッチされたことを検出する多点押下検出部と、
　タッチパネルより出力されるＸ，Ｙ位置信号に基づいて押下点のＸ座標値、Ｙ座標値を求める押下点座標検出部と、
　前記所定時間内に１点のみタッチされた場合には、システムに第１の動作を実行させ、
多点押下検出後、押下点のＸ，Ｙ座標値が所定時間変化しなければシステムに第２の動作を実行させ、多点押下検出後、所定時間内に押下点のＸ，Ｙ座標値の少なくとも一方が変化した場合にはシステムに第３の動作を実行させる制御部を備えた動作指示装置。」
　
２．引用例
（１）当審における、平成２０年１２月１０日付けで通知した拒絶の理由に引用した特開平４−３２２３２２号公報（以下、「引用例１」という。）には、図面とともに、以下の記載がある。
　
（イ）「【０００１】
【産業上の利用分野】本発明は、面状に多数の感圧スイッチが分布した、タッチパネルと呼ばれているスイッチパネルを用いた感圧式入力装置に関する。
【０００２】
【従来の技術】情報処理装置に命令やデータを入力するには、一般に、キーボードが広く用いられているが、この他に、ブラウン管ディスプレイなどの画面上に、透明電極から構成されたスイッチパネルを貼り付けたものがある。図２に、このような従来装置のブロック図を示す。図の装置は、スイッチパネル１が、液晶ディスプレイ２の前面に貼り付けられ、この液晶ディスプレイ２は、表示制御部３によってその表示内容を制御される構成とされている。スイッチパネル１は、面状に多数の感圧スイッチが分布した透明電極から構成されている。この例では、Ｘ方向に６列、Ｙ方向に６列の、合計３６個の感圧スイッチが設けられている。これらの感圧スイッチの何れが押圧されたかを検出するために、Ｙスキャン回路５、およびＸスキャン回路６が設けられている。この二つのスキャン回路によって、押圧位置検出部４が構成され、その出力が動作制御部７に入力するよう構成されている。」（段落【０００１】、【０００２】）
　
（ロ）「【０００４】
【発明が解決しようとする課題】ところで、上記のような装置を例えば、車載装置の制御に使用する場合、次のような問題があった。即ち、上記のような装置は、液晶ディスプレイ２に表示する画像情報の内容を切り換えることによって、限られた数の感圧スイッチを各種の命令入力に広く使用することができる。従って、運転者が多数の車載装置に取り付けられたスイッチに手を伸ばして操作する場合に比べ、操作性が良いという利点がある。また、複雑な情報処理を実行させることもできる。その反面、運転者が液晶ディスプレイ２の表示を確認しながらスイッチパネル１を押圧することになり、安全上入力項目をあまり増やすことができない。また指で押圧する場合、その操作が不正確になり、誤操作の原因ともなる。本発明は以上の点に着目してなされたもので、簡単な操作で各種の命令を入力できる操作性の良い、感圧式入力装置を提供することを目的とするものである。」（段落【０００４】）
　
（ハ）「【作用】 この装置はスイッチパネルが押圧されると、その押圧位置を押圧位置検出部４が検出する。そして、複数位置が同時に押圧された場合、その押圧位置数を押圧状態認識部１２が認識し、該当する命令の入力処理を行う。また一定方向に押圧位置が移動するよう押圧された場合、その移動方向に対応する命令の入力処理を行う。これにより、押圧位置が不正確であっても、操作者の意志が正確に伝わり、一定の命令が実行される。
【０００７】
【実施例】以下、本発明を、図面を用いて詳細に説明する。図１は、本発明の第１発明の装置実施例を示すブロック図である。図の装置には、スイッチパネル１を前面に貼り付けた液晶ディスプレイ２が設けられ、これを表示制御部３が制御する構成とされている。この構成は、先に図２において説明した装置と同様である。またスイッチパネル１の押圧位置を検出するために、押圧位置検出部４が設けられ、ここには、Ｙスキャン回路５およびＸスキャン回路６が設けられている。この例では、先に図２において説明したと同様に、Ｘ方向に６列、Ｙ方向に６列の、合計３６個の感圧スイッチが分布したスイッチパネル構成とされている。押圧位置検出部４の出力は、動作制御部１１に設けられた押圧状態認識部１２に入力するよう構成されている。また動作制御部１１には、液晶ディスプレイ２に表示すべき案内情報を格納した案内情報部８が設けられている。この案内情報が、表示制御部３を通じて液晶ディスプレイ２に表示される。
【０００８】ここで、このスイッチパネル１は、同時に押圧された押圧箇所数によってその命令の種類が判別される構成とされている。図の例では同時押圧箇所が２個の場合を示しており、その押圧箇所にはＰ１、Ｐ２という符号が表示されている。図３に、第１発明の動作条件説明図を示す。まず、図１に示した装置を車載スピーカの音量調整に使用するものとする。この場合図３（ａ）に示すように、スイッチパネル１を一本の指で押圧した場合にはボリュウムアップ、同図（ｂ）に示すように、二本の指で押圧した場合にはボリュウムダウンというように条件設定をしておく。図１に示した押圧状態認識部１２は、図３（ａ）（ｂ）のいずれの状態かを判断し、ボリュウム制御のための入力データ９を、図示しない音量制御部に送る。　
【０００９】図４には、押圧状態認識部１２の同時押圧認識動作説明図を示す。通常、スイッチパネル１を同時に二本の指で押圧する場合であっても、その押圧タイミングには時間的なずれがある。即ち図４（ａ）および（ｂ）に示すように、人差指で押圧するタイミングと中指で押圧するタイミングとは、一定の時間的ずれがある。従って図４（ｃ）に示すように、充分長い監視時間Ｔをとって、その間にスイッチパネル１の２箇所以上が同時に押圧されたかどうかを検出する。図４（ｄ）に示すように、この監視時間Ｔ中に２箇所が押圧された場合、その状態の発生した時間ｔだけ同時押圧状態が検出される。これが一定時間以上あれば、２箇所が同時押圧されたと判断し、対応する命令が入力される。もちろん２箇所に限らず３箇所、あるいは４箇所の同時押圧を検出し、対応する命令入力に使用するようにしても差し支えない。
【００１０】図５に、上記のような第１発明の動作フローチャートを示す。この場合、図３の動作条件に加えて、３箇所が押圧されると、スイッチがオンあるいはオフされるような条件設定とされている。即ち、まずステップＳ１において１箇所が押圧されたか否かが判断され、１箇所が押圧されたと判断された場合には、ステップＳ２においてボリュウムアップの命令が入力される。またステップＳ３において２箇所が押圧されたと判断された場合には、ステップＳ４においてボリュウムダウンの命令が入力される。さらにステップＳ５において３箇所が押圧されたと判断された場合には、ステップＳ６においてスイッチオンあるいはオフの命令が入力される。上記のような操作は、操作者がスイッチパネル１を見ることなく容易に実行でき、しかも押圧箇所数は比較的明瞭に判別できるため、誤りなくその命令を伝えることができる。」（段落【０００６】〜【００１０】）
　
（ニ）「【００１１】図６には、本発明の第２発明の装置実施例ブロック図を示す。この装置は、押圧状態認識部１２における命令の認識内容が異なるだけで、外見上は図１に示すものと変わるところはない。即ち、この装置は、スイッチパネル１を指で押圧しながらＡ方向即ち上方向に移動させる場合、Ｂ方向即ち右方向に移動させる場合、Ｃ方向即ち下方向に移動させる場合、Ｄ方向即ち左方向に移動させる場合と、４種類の命令を認識する構成とされている。この場合、指でスイッチパネル１を押圧し、その押圧位置を移動する方向が問題であって、押圧開始位置や指を放す位置については問題とされない。
【００１２】図７に、そのような押圧状態認識部１２の移動方向認識動作説明図を示す。図６に示した押圧状態認識部１２には、Ｘスキャン回路５、およびＹスキャン回路６から、それぞれ検出座標信号が入力する。この検出座標信号は、例えば図７に示すように、Ａ方向に指が移動した場合、Ｘ方向の座標Ｘ３は一定のままで、Ｙ方向の座標がＹ３、Ｙ２、Ｙ１と変化する。そのようなデータを取り込んでデータの移動方向を判別すれば、押圧位置がＡ、Ｂ、Ｃ、Ｄの何れの方向に移動したかを容易に識別できる。
【００１３】図８には、そのような第２発明の動作フローチャートを示す。まずステップＳ１において、移動方向が上方向と判断された場合には、ステップＳ２においてボリュウムアップという命令が入力される。これによって音量が増大する。またステップＳ３において、下方向に移動したと判断された場合、ステップＳ４においてボリュウムダウンという命令が入力される。さらにステップＳ５において左方向と判断された場合には、ステップＳ６においてメニューアップの命令が実行される。このメニューアップというのは、液晶ディスプレイ２に表示されたメニューを用意された別のメニューに切り換えることをいう。ステップＳ７において今度は右方向へ移動と判断された場合には、ステップＳ８においてメニューダウンの命令が入力される。このメニューダウンというのは、メニューをもとに戻す方向に切り換えることをいう。このように、スイッチパネルを押圧する位置を上下左右いずれかの方向に移動させることによって、４種類の命令を入力できる。従って、スイッチパネル１に表示される案内を見ながら、４つの箇所を誤りなく押圧するといった従来方法に比べ、より単純な操作で正確にその命令を伝えることができる。」（段落【００１１】〜【００１３】）
　
（ホ）「【００１４】本発明は以上の実施例に限定されない。上記スイッチパネル１は、液晶ディスプレイの前面に取り付けた例を示したが、スイッチパネル自体表示能力を持たない単純な構成のものであっても差し支えないし、またディスプレイをブラウン管ディスプレイ等、その他の構成のディスプレイにしても差し支えない。また上記のような構成のスイッチパネルは、あらゆる分野に利用することができ、これにより入力する命令も任意のものであって差し支えない。
【００１５】
【発明の効果】 以上説明した本発明の感圧式入力装置は、スイッチパネルの複数位置が同時に押圧された場合、あるいはスイッチパネルの押圧位置が移動した場合これを認識し、これらに対応する命令の入力処理を実行するようにしたので、操作時スイッチパネルを肉眼で認識せずに、確実な操作ができる。しかも、操作が簡単で短時間で入力でき、その認識も容易なため、例えば車載端末装置の操作などに優れた効果が期待できる。」（段落【００１４】、【００１５】）
　
　以上の記載によれば、この引用例１には以下のような発明（以下、「引用例１発明」という。）が開示されていると認められる。
　
「液晶ディスプレイ２の前面に、面状に多数の感圧スイッチが分布した透明電極から構成されているスイッチパネル１を貼り付け、前記スイッチパネル１の押圧を検出して、予め設定された命令の入力を実行させる感圧入力装置において、
　スイッチパネル１の２箇所以上の押圧状態が監視時間Ｔ中に一定時間以上あることを検出する押圧状態認識部１２と、
　スイッチパネル１の押圧位置を検出するために、Ｘスキャン回路５、Ｙスキャン回路６の検出座標信号から押圧位置のＸ方向の座標、Ｙ方向の座標を求める押下位置検出部４と、
　前記押圧状態認識部１２により監視時間中に１箇所が押圧されたと判断された場合には、ボリュームアップの命令が入力され、
２箇所が押圧されたと判断された場合には、ボリュームダウンの命令が入力され、
３箇所が押圧されたと判断された場合には、スイッチオンあるいはオフの命令が入力され、
入力された命令を実行する車載装置の音量制御部を備えた感圧入力装置。」
　
（２）同じく、当審における、平成２０年１２月１０日付けで通知した拒絶の理由に引用した特開昭６３−３４６３５号公報（以下、「引用例２」という。）には、図面とともに次の記載がある。
　
（イ）「ところで、上記ＣＲＴ表示部２の表面上にはタッチパネル部４が設けられており、このタッチパネル部４上に設けられた分割された分割エリア（例えば、２４個）のタッチエリアの内特定のタッチエリアが押す下げられると、それに応じた信号をマイクロコンピュータ１に出力するものである。」（第２頁右上欄第１２行〜第１８行）
　
（ロ）「次に、第５図のフローチャートを参照してスイッチ操作演算ルーチンについて説明する。まず、マイクロコンピュータ１からタッチパネル部４から信号が入ったか否が判定され（ステップＳ２１）。そして、タッチパネル部４から入力された信号に基づきタッチスイッチ２ｂ上を指でなぞった方向（上，下）が演算される（ステップＳ２２〉。そして、なぞった方向が上方向であると判定されると、ボリュームの表示２ａ−１が上方向に移動されると共にラジオ回路７に信号が送られて音量が上げられる（ステップＳ２３）。一方、なぞった方向が下方向であると判定されると、ボリュームの表示２ａ−１が下方向に移動されると共に音量が下げられる（ステップＳ２４）。
　このように、ラジオの音量を上げ下げする場合にタッチスイッチ２ｂを下から上になぞるかあるいは上から下になぞれば良いので、手探りでも音量調節を行なうことができる。
　なお、上記実施例においてはラジオの音量を調節する場合について述べたが、自動選局する場合にタッチスイッチ２ｂを円でなぞるようにしても良い。
　また、第２図に示すようにメモリされた「１」〜「６」の放送曲を選局する場合に「１」〜「６」に応じた本数の指をタッチスイッチ２ｂに触れさせるようにしても良い。
［発明の効果］
　以上詳述したように本発明によれば、手探りで行っても確実にスイッチ操作を行うことができるタッチスイッチ装置を提供することができる。」（第２頁右下欄第２０行〜第３頁左上欄第１９行）
　
３．対　比
　本願発明と引用例１発明とを対比する。
　引用例１発明の「液晶ディスプレイ２の前面」は、本願発明の「ディスプレイ画面」に相当する。
　引用例１発明の「面状に多数の感圧スイッチが分布した透明電極から構成されているスイッチパネル１」は、本願発明の「透明タッチパネル」及び「タッチパネル面」に相当する。
　引用例１発明の「押圧」及び「押圧位置」は、本願発明の「タッチ」及び「タッチ点」に相当する。
　引用例１発明の「車載装置」は、本願発明の「システム」に相当する。
　引用例１発明の「液晶ディスプレイ２の前面に面状に多数の感圧スイッチが分布した透明電極から構成されているスイッチパネル１を貼り付け、前記スイッチパネル１の押圧を検出して、予め設定された命令の入力を実行させる感圧入力装置」は、本願発明の「ディスプレイ画面上に透明タッチパネルを装備し、タッチパネル面をタッチすることによりシステムに所定の動作を実行させる動作指示装置」に相当するといえる。
　引用例１発明の「スイッチパネル１の押圧位置を検出するために、Ｘスキャン回路５、Ｙスキャン回路６の検出座標信号から押圧位置のＸ方向の座標、Ｙ方向の座標を求める押下位置検出部４」は、本願発明の「タッチパネルより出力されるＸ，Ｙ位置信号に基づいて押下点のＸ座標値、Ｙ座標値を求める押下点座標検出部」に相当する。
　引用例１発明の「スイッチパネル１の２箇所以上の押圧状態が監視時間Ｔ中に一定時間以上あることを検出する押圧状態認識部１２」は、本願発明と「タッチパネルより出力されるタッチ点のＸ，Ｙ位置信号に基づいてタッチパネル面上の異なる２以上のポイントが所定時間内に押圧状態にされたことを検出する多点押下検出部」である点で一致するといえる。
　引用例１発明の「前記押圧状態認識部１２により監視時間中に１箇所が押圧されたと判断された場合には、ボリュームアップの命令が入力され」、「命令を実行する」は、本願発明の「前記所定時間内に１点のみタッチされた場合には、システムに第１の動作を実行させ」に対応し、引用例１発明の「２箇所が押圧されたと判断された場合には、ボリュームダウンの命令が入力され」、「命令を実行する」は、本願発明の「多点押下検出後、押下点のＸ，Ｙ座標値が所定時間変化しなければシステムに第２の動作を実行させ」とは、「多点押下検出後、システムに第２の動作を実行させ」る点で対応しており、引用例１発明の「車載装置の音量制御部」は、本願発明の「制御部」に相当している。
　
　したがって、両者は、
「ディスプレイ画面上に透明タッチパネルを装備し、タッチパネル面をタッチすることによりシステムに所定の動作を実行させる動作指示装置において、
　タッチパネルより出力されるタッチ点のＸ，Ｙ位置信号に基づいてタッチパネル面上の異なる２以上のポイントが所定時間内に押圧状態にされたことを検出する多点押下検出部と、
　タッチパネルより出力されるＸ，Ｙ位置信号に基づいて押下点のＸ座標値、Ｙ座標値を求める押下点座標検出部と、
　前記所定時間内に１点のみタッチされた場合には、システムに第１の動作を実行させ、
多点押下検出後、システムに第２の動作を実行させる制御部を備えた動作指示装置。」
で一致するものであり、次の点（１）、（２）の点で相違している。
　
（１）多点押下検出部が、本願発明では、「タッチパネルより出力されるタッチ点のＸ，Ｙ位置信号に基づいてタッチパネル面上の異なる２以上のポイントが所定時間内にタッチされたことを検出する」のに対し、引用例１発明では、スイッチパネル１の２箇所以上の押圧状態が監視時間Ｔ中に一定時間以上あることを検出する点。
　
（２）本願発明は、「多点押下検出後、押下点のＸ，Ｙ座標値が所定時間変化しなければシステムに第２の動作を実行させ、多点押下検出後、所定時間内に押下点のＸ，Ｙ座標値の少なくとも一方が変化した場合にはシステムに第３の動作を実行させる」のに対し、引用例１発明は、多点押下検出後、システムに第２の動作を実行させているが、押下点のＸ，Ｙ座標値が所定時間変化しなければシステムに第２の動作を実行させ、所定時間内にＸ，Ｙ座標値の少なくとも一方が変化した場合にはシステムに第３の動作を実行させるものではない点。
　
４．当審の判断
　上記相違点について検討する。
・相違点（１）について
　タッチパネルより出力されるタッチ点のＸ，Ｙ位置信号に基づいてタッチパネル面上の異なる２以上のポイントが所定時間内にタッチ（接触）されたことを検出する多点押下検出は、本出願前周知の技術である。（特開昭６３−１７２３２５号公報第４頁右上欄「コマンド２ＨＩＴ」の記載、特開昭６２−２２１３４号公報第３頁右上欄〜左下欄「２点以上の座標指定を同時に（所定時間内に）行うことにより、その指定座標数に応じた特定の指定入力が可能になる。」の記載、特開平５−１９７４８３号公報段落【００１７】の記載、特開平５−１９７４８５号公報段落【００１７】の記載参照）
　したがって、引用例１発明において、多点押下検出をタッチパネルより出力されるタッチ点のＸ，Ｙ位置信号に基づいてタッチパネル面上の異なる２以上のポイントが所定時間内にタッチされたことを検出するようにすることは容易になし得ることである。
　
・相違点（２）について
　引用例１の第２発明（記載事項（ニ））及び引用例２には、タッチパネルの押圧位置の移動（「押下げ点のＸ，Ｙ座標値の少なくとも一方が変化した場合」に相当する。）を検出し、それに対応した予め設定された動作を実行する動作指示装置が記載されている。
　そして、タッチパネル入力装置を備えたシステムにおいて、第１座標の入力及び第２座標の入力以降（「多点押下検出後」に相当する。）の所定の時間内の座標入力数に固有の実行指定情報を出力することは、本出願前周知（上記特開昭６２−２２１３４号公報第３頁左上欄第１６行〜右上欄第９行の記載、上記特開平５−１９７４８３号公報段落【００１５】の記載、上記特開平５−１９７４８５号公報段落【００１５】の記載参照）であって、タッチパネル上の任意の位置においてその移動距離、接触時間、接触回数の操作内容に対応して定められたコマンドを出力し、これを複数組合わせることによってさらに多くのコマンドを出力することも本出願前周知（上記特開昭６３−１７２３２５号公報参照）である。
　したがって、上記周知技術を採用することにより、引用例１発明において、多点押下検出後、所定時間内に何らかの入力操作がなければ（「押下点のＸ，Ｙ座標値が所定時間変化しなければ」に相当する。）システムに第２の動作を実行させ、所定時間内に何らかの入力操作がある場合にはシステムに第３の動作を実行させるようにすることは容易になし得ることであり、その際、何らかの入力操作を引用例１の第２発明（記載事項（ニ））及び引用例２に記載されているような、タッチパネルの押圧位置の移動（「押下げ点のＸ，Ｙ座標値の少なくとも一方が変化した場合」に相当する。）とすることは、当業者が必要に応じて適宜なし得る設計的事項にすぎない。
　
　また、前記相違点により奏される効果は当業者であれば引用例１発明、引用例２に記載された技術及び周知技術から予想できる範囲内のものである。
　
５．むすび
　以上のとおり、本願請求項１に係る発明は、引用例１発明、引用例２に記載された技術及び周知技術に基づいて当業者が容易に発明をすることができたものであるから、特許法第２９条第２項の規定により特許を受けることができない。
　したがって、本願は、その余の請求項について論及するまでもなく、拒絶すべきものである。
　よって、結論のとおり審決する。